(57)【要約】      （修正有） 【課題】組立てに便利で、安定した収音が得られ、正確に伝送できる電子ドラムの収音組立構造を提供する。【解決手段】シェル２１と懸装体２２と緩衝体２３と打撃面２４と固定枠２５とを含んでなり、該シェルは円筒体を呈し、外周面には複数のラグ２１０を設け、上端縁部から該懸装体を嵌設し、かつ該打撃面を被せ、該固定枠を螺着して位置決めしてなり、該懸装体は環状に凹状部が形成されたハウジングであって、かつ内方向に凸出した凸出端２２０を形成してなり、該凹状部が形成された位置には該緩衝体を設け、かつ該凸出端の内周面にセンサを貼着するとともに、上端縁部には掛止耳２２１が形成され、該掛止耳によって該シェル内部の上半部の空間に掛止し、該緩衝体はビーズ状を呈し、形状回復する弾性を具え、該懸装体の環状の該凹状部に設け、外周面にはセンサを設け、かつ該懸装体との間に隙間を有し、該打撃面は繊維網状を呈し、形状回復の弾性を具える。【選択図】図２
0003211239.tif 000002
【実用新案登録請求の範囲】
【請求項１】
シェルと、懸装体と、緩衝体と、打撃面と、固定枠とを含んでなり、
該シェルは円筒体を呈し、外周面には複数のラグを設け、上端縁部から該懸装体を嵌設し、かつ該打撃面を被せ、該固定枠を螺着して位置決めしてなり、
該懸装体は環状に凹状部が形成されたハウジングであって、かつ内方向に凸出した凸出端を形成してなり、該凹状部が形成された位置には該緩衝体を設け、かつ該凸出端の内周面にセンサを貼着するとともに、上端縁部には掛止耳が形成され、該掛止耳によって掛止して該シェル内部の上半部の空間に設けてなり、
該緩衝体はビーズ状を呈し、形状回復する弾性を具え、該懸装体の環状の該凹状部に設け、外周面にはセンサを設け、かつ該懸装体との間に隙間を有し、
該打撃面は繊維網状を呈し、形状回復の弾性を具え、周辺部を環状管内に挿設し、該固定枠で該環状管に挟むように支持し、同時に該緩衝体と該懸装体を下方に圧迫して該シェル上に緊密に接触させ、
該固定枠が環状を呈して囲繞し、水平周縁部に複数のネジ孔を形成し、ネジで該シェルの該ラグ上に固定すること、を特徴とする電子ドラムの収音組立構造。
【考案の詳細な説明】
【技術分野】
【０００１】
この考案は電子ドラムの収音構造に関し、特に組立に便利で、安定した収音が得られ、正確に伝送できる電子ドラムの収音構造に関する。 
【背景技術】
【０００２】
電子ドラムは、一般の電子製品と同様に、複数の組立ユニットによる簡易な組立で、製造時間の短縮、大量生産の目的を達成している。但し、出荷する製品の品質を安定させ、かつ製造コストを節減しようと希求するのであれば、組立構造の合理性について真剣に考えなければならない。よって、この考案による電子ドラムは、組立部材を全面的に 改良した最も新規な製品である。
【０００３】
図１は、従来の電子ドラムの収音構造を示した説明図である。その内、音源の収集点は、打撃面１０の中心点下方の円錐形緩衝物１１の底部設けたセンサ１２をメインとし、またシェル１３の内周面にセンサ１２を設けてサブの収集点とする。よって、両者が同時に取集する振動を電子音に変換して発する。但し、実際に使用する場合、スティックが打撃面１０を叩くが、直接下方の円錐形緩衝物１１を叩くことが発生しやすく、このため打撃１０の反発力が演奏者の慣性速度に影響を与える。これが欠点の一である。次に、信号の収集点が打撃面１０の中心点に位置するために打撃面は絶対的に緊張した状態を呈していなければならず、よって打撃の反発力が極めて強くなり、通常の皮革のヘッドに対する打撃の感覚に似ていなくなる。これが欠点の二である。仮に打撃面１０を些か緩くした場合、振動の頻度を忠実に中心点に伝送することができなくなる。これが欠点の三である。このような矛盾した構造上の欠点は、全面的に変更しなければ、創作の目的と効果を達成することが難しくなる。
【考案の概要】
【考案が解決しようとする課題】
【０００４】
この考案は、収音効果と、組立ての品質の安定性と経済性とを高め、かつ打撃による振動信号の伝達経路を大幅に改良することで演奏者が理想とする結果が正確に得られ、音質と強弱を解析して通常の皮革をヘッドとするドラム本来の音を再現する電子ドラムの収音構造を提供することを課題とする。
【課題を解決するための手段】
【０００５】
この考案による電子ドラムの収音組立構造の内容は、主にシェルと、懸装体と、緩衝体と、打撃面と、固定枠とによって構成され、該シェルは円筒形状を呈し、外周面に複数のラグを設け、上端縁部に該緩衝体を嵌着して打撃面を被せ、固定枠を螺着して位置決めする。
【０００６】
また、この考案による電子ドラムの収音組立構造の内容は、主にシェルと、懸装体と、緩衝体と、打撃面と、固定枠とによって構成され、該懸装体は環状に凹状部が形成されたハウジングであって、かつ内方向に凸出した凸出端を形成してなり、該凹状部が形成された位置には該緩衝体を設け、かつ該凸出端の内周面にセンサを貼着するとともに、上端縁部には掛止耳が形成され、該掛止耳によって掛止して該シェル内部の上半部の空間に設ける。
【０００７】
また、この考案による電子ドラムの収音組立構造の内容は、主にシェルと、懸装体と、緩衝体と、打撃面と、固定枠とによって構成され、該緩衝体はビーズ状を呈し、形状回復する弾性を具え、該懸装体の環状の該凹状部に設け、外周面にはセンサを設け、かつ該懸装体との間に隙間を有する。
【０００８】
また、この考案による電子ドラムの収音組立構造の内容は、主にシェルと、懸装体と、緩衝体と、打撃面と、固定枠とによって構成され、該打撃面は繊維網状を呈し、形状回復の弾性を具え、周辺部を環状管内に挿設し、該固定枠で該環状管に挟むように支持し、同時に該緩衝体と該懸装体を下方に圧迫して該シェル上に緊密に接触させる。
【０００９】
また、この考案による電子ドラムの収音組立構造の内容は、主にシェルと、懸装体と、緩衝体と、打撃面と、固定枠とによって構成され、該固定枠が環状を呈して囲繞し、水平周縁部に複数のネジ孔を形成し、ネジで該シェルの該ラグ上に固定する。
【図面の簡単な説明】
【００１０】
【図１】従来の電子ドラムの収音構造を示した説明図である。
【図２】この考案による電子ドラムの断面構造を示した説明図である。
【考案を実施するための形態】
【００１１】
図２は、この考案による電子ドラムの断面構造を示した説明図である。図面に開示するように、電子ドラム２０は、シェル２１と、懸装体２２と、緩衝体２３と、打撃面２４と、固定枠２５とを順に組み立てて構成する。先ず、シェル２１は円筒体を呈し、ドラムの基本構造の形態をなす。外周面には複数のラグ２１０を設け、上端縁部から懸装体２２を嵌設し、かつ打撃面２４を被せる。さらに固定枠２５を螺着して位置決めする。次いで、懸装体２２は環状に凹状部が形成されたハウジングであって、かつ内方向に凸出した凸出端２２０を形成してなる。該凹状部が形成された位置には緩衝体２３を設け、凸出端２２０の内周面にはセンサ３０を貼着する。また、懸装体２２の上端縁部には掛止耳２２１が形成され、掛止耳２２１によって掛止してシェル２１内部の上半部の空間に設ける。次いで、緩衝体２２はビーズ状を呈し、形状回復する弾性を具え、懸装体２２の環状の凹状部に設ける。外周面にはセンサ３０を設け、かつ懸装体２２との間に隙間を保留する。打撃面は繊維網状を呈し、形状回復の弾性を具え、周辺部を環状管２４０内に挿設し、固定枠２５で環状管２４０に挟むように支持し、同時に緩衝体２３と懸装体２２を下方に圧迫してシェル２１上に緊密に接触させ、最後に固定枠２５が環状を呈して囲繞し、水平周縁部２５０には複数のネジ孔２５１を形成し、ネジでシェル２１のラグ２１０上に固定する。
【００１２】
図２に開示するように、演奏者が打撃面２４か、シェル２１本体か、または固定枠２５を叩くと、緩衝体２３の周縁のセンサ２０及び懸装体２２の凸出端２２０の凹状部内のセンサ３０に直接伝達し、同時に収集した振動信号をドラム音に転換して発する。但し、打撃点が異なると、これに反応して異なる振動強度の振動信号となり、強弱の異なる音と、異なる音質を発する。
【００１３】
前述するこの考案の音源収集の経路は、打撃面２４と固定枠２５とシェル２１による伝導であって、緩衝体２３と懸装体２２上のセンサ３０が連動する。このように、打撃面が適宜な緊張状態を保持しつつリアル性の喪失の恐れがないため、演奏者は速度と強さの制御に集中することができる。従来の技術のように、叩く途中で打撃面の中心点の円錐状緩衝物に気を取られることがなくなる（図１に係る説明を参照すれば明らかである）また、音源の収集が外から内へと向かい中心点に集中する従来の経路とは異なり、このため打撃面が過度に緊張するという欠点を徹底的に改善することができる。
【符号の説明】
【００１４】
１０    打撃面
１１    円錐形緩衝物
１２    センサ
２０    電子ドラム
２１    シェル
２１０  ラグ
２２    懸装体
２４    打撃面
２５    固定枠
２２０  凸出端
２２１  掛止耳
２４０  環状管
２５０  水平周縁部
２５１  ネジ孔
２２１  外径周縁部
【図１】
0003211239.tif 000003
【図２】
0003211239.tif 000004